(57)【要約】【課題】例えば揮発性有害物質を含む土壌等の廃棄物を運搬する場合であっても、揮発性有害物質の大気への拡散を防止しながら、作業者が触れることなく安全にトラックの荷台に載置された袋体から内部に充填された廃棄物を放出することができる廃棄物運搬具及び廃棄物の運搬方法を提供する。【解決手段】本体に対して傾斜可能な荷台３を有するトラックの荷台３に敷設されて内部に廃棄物Ａが充填される袋体１０で構成された廃棄物運搬具であって、トラックの荷台３を本体に対して後方下がりに傾斜させる放出操作時において引張力が付与される放出用紐状体１１ｂが、袋体１０に取り付けられており、袋体１０の後方側に、放出用紐状体１１ｂへの引張力の付与時に開放する放出部１５が設けられている。【選択図】図８
2019156411.tif 000002
【特許請求の範囲】
【請求項１】
本体に対して傾斜可能な荷台を有するトラックの前記荷台に敷設されて封鎖可能な上方の開口部から内部に廃棄物が充填される袋体で構成された廃棄物運搬具であって、
前記トラックの荷台を本体に対して後方下がりに傾斜させる放出操作時において引張力が付与される放出用紐状体が、前記袋体に取り付けられており、
前記袋体の後方側に、前記放出用紐状体への引張力の付与時に開放する放出部が設けられている廃棄物運搬具。
【請求項２】
前記放出用紐状体が、前記トラックに連結されて、前記放出操作に伴って前記袋体の充填物の自重により引張力が付与される請求項１に記載の廃棄物運搬具。
【請求項３】
前記袋体が、合成樹脂製であり、
前記袋体の放出部の左右両側に、一対の前記放出用紐状体が貼り付けられており、
前記一対の放出用紐状体が、前記放出操作時において左右に引き離す状態で引張力が付与され、
前記放出部が、前記一対の放出用紐状体への引張力の付与時に破断する請求項１又は２に記載の廃棄物運搬具。
【請求項４】
前記袋体の前方側に、前記トラックに連結される固定用紐状体が取り付けられている請求項１〜３の何れか１項に記載の廃棄物運搬具。
【請求項５】
前記袋体の放出部に、前記放出用紐状体への引張力の付与時における当該放出部の破断を補助する破断補助部が設けられている請求項１〜４の何れか１項に記載の廃棄物運搬具。
【請求項６】
上記請求項１〜５の何れか１項に記載の廃棄物運搬具を用いた廃棄物の運搬方法であって、
前記トラックの荷台に敷設された前記袋体に廃棄物を充填した状態で当該トラックの荷台を本体に対して傾斜させる放出操作を実行すると共に、
当該放出操作時において、前記袋体に取り付けられた前記放出用紐状体に引張力を付与して前記袋体の後方側に設けられた放出部を開放させる廃棄物の運搬方法。
【発明の詳細な説明】
【技術分野】
【０００１】
本発明は、本体に対して傾斜可能な荷台を有するトラックの前記荷台に敷設されて内部に廃棄物が充填される袋体で構成された廃棄物運搬具、及び、その廃棄物運搬具を用いた廃棄物の運搬方法に関する。
【背景技術】
【０００２】
建設工事現場において、有害物質を含む汚染土壌などの廃棄物を場外へ搬出する際は、汚染を拡散させない方法で運搬する必要がある。
特に、揮発性有害物質を含む汚染土壌などの廃棄物は、運搬中での揮発性有害物質の大気への拡散を防止するために、フレキシブルコンテナバッグと呼ばれる袋体で梱包した上で、トラックの荷台に積み込んで運搬するのが一般的である。
【０００３】
また、トラックによる廃棄物の運搬方法として、弾性体で容器状に成形された運搬具やシートを箱形に屈曲させてなる収容体を予めトラックの荷台に設置し、その運搬具や収容体内に廃棄物を投入し、投入後にその廃棄物の上方をカバーで覆うことで、有害物質の放出を抑制する方法が提案されている（例えば特許文献１及び２を参照。）。また、これら特許文献１及び２に記載の運搬方法では、トラックの荷台を本体に対して後方下がりに傾斜させる放出操作時において、運搬具や収容体の後方の縁が外方に倒れるので、作業者が触れることなく安全に、廃棄物を自重により後方に放出することができる。
【先行技術文献】
【特許文献】
【０００４】
【特許文献１】特開２０１３−２５２８２２号公報
【特許文献２】特開２０１５−０９８３０１号公報
【発明の概要】
【発明が解決しようとする課題】
【０００５】
前述のように、フレキシブルコンテナバックと呼ばれる袋体を用いた廃棄物の運搬方法では、トラックに積み込む前に廃棄物を袋体で梱包する作業や、廃棄物が充填された袋体をトラックの荷台に積み込む作業が必要となることから、手間やコストの増加が問題となっていた。
また、このようなフレキシブルコンテナバックと呼ばれる袋体を用いた廃棄物の運搬方法では、袋体から廃棄物を放出するにあたり、作業者が、クレーン等で吊り上げたれた袋体の底面もしくは側面を手作業で破って廃棄物を取り出す必要があり、安全面で問題があった。
【０００６】
また、特許文献１及び２に記載の廃棄物の運搬方法では、トラックの荷台に予め運搬具や収容体を設置して、その内部に廃棄物を投入するため、上述のような手間やコストの増加の問題はないが、その運搬具や収容体に収容した廃棄物の上方をカバーで覆うだけでは、運搬中での揮発性有害物質の大気への拡散を十分に防止することはできないという問題がある。
【０００７】
この実情に鑑み、本発明の主たる課題は、例えば揮発性有害物質を含む土壌等の廃棄物を運搬する場合であっても、揮発性有害物質の大気への拡散を防止しながら、作業者が触れることなく安全にトラックの荷台に載置された袋体から内部に充填された廃棄物を放出することができる廃棄物運搬具及び廃棄物の運搬方法を提供する点にある。
【課題を解決するための手段】
【０００８】
本発明の第１特徴構成は、本体に対して傾斜可能な荷台を有するトラックの前記荷台に敷設されて封鎖可能な上方の開口部から内部に廃棄物が充填される袋体で構成された廃棄物運搬具であって、
前記トラックの荷台を本体に対して後方下がりに傾斜させる放出操作時において引張力が付与される放出用紐状体が、前記袋体に取り付けられており、
前記袋体の後方側に、前記放出用紐状体への引張力の付与時に開放する放出部が設けられている点にある。
【０００９】
本構成によれば、予めトラックの荷台に袋体を敷設し、その上方の開口部から内部に廃棄物を充填した後に、その開口部を封鎖することで、袋体の内部に充填された廃棄物から大気への揮発性有害物質の拡散を抑制することができる。更に、トラックの荷台を本体に対して傾斜させる放出操作時において、荷台に敷設されて内部に廃棄物が充填される袋体の後方側に設けられた放出部を、作業者が直接触れることなく、袋体に取り付けられた放出用紐状体への引張力の付与により開放させることができ、開放した放出部から袋体の充填物を自重により後方に放出することができる。
従って、本発明により、例えば揮発性有害物質を含む土壌等の廃棄物を運搬する場合であっても、揮発性有害物質の大気への拡散を防止しながら、作業者が触れることなく安全にトラックの荷台に載置された袋体から内部に充填された廃棄物を放出することができる廃棄物運搬具を実現することができる。
【００１０】
本発明の第２特徴構成は、前記放出用紐状体が、前記トラックに連結されて、前記放出操作に伴って前記袋体の充填物の自重により引張力が付与される点にある。
【００１１】
本構成によれば、トラックの荷台を後方下がりに傾斜させる放出操作時において、その傾斜した荷台に載置された袋体の充填物が自重により後方に移動しようとすることから、袋体とトラックとを接続する放出用紐状体に引張力が生じ、その引張力により放出部を開放させることができる。よって、放出操作時において、作業者が放出用紐状体等に一切触れることなく、トラックの荷台に載置された袋体から内部に充填された廃棄物を一層安全に後方に放出することができる。
【００１２】
本発明の第３特徴構成は、前記袋体が、合成樹脂製であり、
前記袋体の放出部の左右両側に、一対の前記放出用紐状体が貼り付けられており、
前記一対の放出用紐状体が、前記放出操作時において左右に引き離す状態で引張力が付与され、
前記放出部が、前記一対の放出用紐状体への引張力の付与時に破断する点にある。
【００１３】
本構成によれば、放出操作時において、合成樹脂製の袋体の放出部の左右両側に設けた一対の放出用紐状体に対して左右に引き離す状態で引張力を付与して、放出部を破断させることができる。よって、袋体の内部に廃棄物を略密封状態で充填可能としながら、放出操作時において、放出部を容易に破断させて、トラックの荷台に載置された袋体から内部に充填された廃棄物を放出させることができる。
【００１４】
本発明の第４特徴構成は、前記袋体の前方側に、前記トラックに連結される固定用紐状体が取り付けられている点にある。
【００１５】
本構成によれば、袋体の前方側（運転席側）に取り付けられた固定用紐状体をトラックに連結することで、トラックの荷台を本体に対して傾斜させる放出操作時において、トラックの荷台に載置された袋体自体が自重により後方にずれることを防止できる。
【００１６】
本発明の第５特徴構成は、前記袋体の放出部に、前記放出用紐状体への引張力の付与時における当該放出部の破断を補助する破断補助部が設けられている点にある。
【００１７】
本構成によれば、袋体の放出部に、放出用紐状体への引張力の付与時における放出部の破断を補助する破断補助部が設けられているので、トラックの荷台を本体に対して傾斜させて放出用紐状体へ引張力が付与される放出操作時において、袋体における特定の箇所を放出部として確実に破断させて、袋体から内部に充填された廃棄物を良好に放出させることができる。
【００１８】
本発明の第６特徴構成は、上記第１〜第５特徴構成の何れかを有する廃棄物運搬具を用いた廃棄物の運搬方法であって、
前記トラックの荷台に敷設された前記袋体に廃棄物を充填した状態で当該トラックの荷台を本体に対して傾斜させる放出操作を実行すると共に、
当該放出操作時において、前記袋体に取り付けられた前記放出用紐状体に引張力を付与して前記袋体の後方側に設けられた放出部を開放させる点にある。
【００１９】
本構成によれば、予めトラックの荷台に袋体を敷設し、その上方の開口部から内部に廃棄物を充填した後に、その開口部を封鎖することで、袋体の内部に充填された廃棄物から大気への揮発性有害物質の拡散を抑制することができる。更に、トラックの荷台を本体に対して傾斜させる放出操作時において、荷台に敷設されて内部に廃棄物が充填される袋体の後方側に設けられた放出部を、作業者が直接触れることなく、袋体に取り付けられた放出用紐状体への引張力の付与により開放させることができ、開放した放出部から袋体の充填物を自重により後方に放出することができる。
従って、本発明により、例えば揮発性有害物質を含む土壌等の廃棄物を運搬する場合であっても、揮発性有害物質の大気への拡散を防止しながら、作業者が触れることなく安全にトラックの荷台に載置された袋体から内部に充填された廃棄物を放出することができる廃棄物の運搬方法を実現することができる。
【図面の簡単な説明】
【００２０】
【図１】本実施形態の廃棄物運搬具を構成する袋体の斜視図
【図２】図１に示す袋体の平面図
【図３】トラックの荷台へ袋体を敷設する前の状態を示す図
【図４】トラックの荷台へ袋体を敷設した後の状態を示す図
【図５】袋体に廃棄物を投入した状態を示す図
【図６】廃棄物が投入された袋体の開口部を封鎖した状態を示す図
【図７】放出操作時でのトラックの状態を説明する図
【図８】放出操作時において袋体の放出部に付加される力の状態を説明する平断面図
【図９】放出操作時において袋体の放出部に付加される力の状態及び破断補助部の構成を説明する正面図
【図１０】放出操作時において袋体の放出部に付加される力の状態及び破断補助部の別の構成を説明する正面図
【図１１】別の実施形態の廃棄物運搬具を構成する袋体の斜視図
【図１２】図１１に示す袋体の平面図
【図１３】別の実施形態の廃棄物運搬具を構成する袋体の斜視図
【図１４】図１３に示す袋体の平面図
【図１５】別の実施形態の廃棄物運搬具を構成する袋体の斜視図
【図１６】図１５に示す袋体の平面図
【図１７】別の実施形態の廃棄物運搬具を構成する袋体の斜視図
【図１８】図１７に示す袋体の平面図
【発明を実施するための形態】
【００２１】
本発明に係る廃棄物運搬具及び廃棄物の運搬方法の実施形態について図面に基づいて説明する。
尚、図１及び図２は、本実施形態の廃棄物搬送具を構成する袋体１０の斜視図及び平面図であり、図３〜図７は、本実施形態の廃棄物の運搬方法での各工程を示す図であり、図８〜図１０は、トラック１の荷台３を本体２に対して後方下がりに傾斜させる放出操作時において袋体１０の放出部１５に付加される力の状態を説明する図である。また、図１１及び図１２、図１３及び図１４、図１５及び図１６、並びに図１７及び図１８は、夫々、別の実施形態の廃棄物搬送具を構成する袋体１０の斜視図及び平面図である。
【００２２】
本実施形態の廃棄物の運搬方法は、詳細については後述するが、トラック１の荷台３に敷設されて内部に建設工事現場から発生した汚染土壌などの廃棄物Ａが充填される袋体１０で構成された廃棄物運搬具を用いたものとして構成されている。
【００２３】
本実施形態の廃棄物の運搬方法では、建設工事現場において、上方が開口部１６として開放された有底の袋状に形成された袋体１０を、本体２に対して傾斜可能な荷台３を有するトラック１の荷台３に敷設し（図３参照）、その敷設した袋体１０に貼り付けられている紐状体１１の端部にある連結部１１ｃを荷台３のフック４ａ，４ｂに連結した上で、袋体１０の上方縁部を荷台３の外側に折り込んだ状態とする（図４参照）。
次に、その袋体１０の内部に上方の開口部１６から廃棄物Ａを投入した後に（図５参照）、その袋体１０の開口部１６を括り紐１７により縛って封鎖する（図６参照）。
そして、廃棄物Ａが充填された袋体１０を搭載したトラック１は、廃棄物処理場等に移動して、荷台３を本体２に対して後方下がりに傾斜させる放出操作（図７参照）を実行し、袋体１０から廃棄物Ａを後方に排出する。
【００２４】
尚、本実施形態では、袋体１０の開口部１６を封鎖する構造としては、括り紐１７による縛る方法を例示したが、巾着のように封鎖する構造やクリップやジッパーや磁石など他の手段で封鎖する構造を採用しても構わない。
更に、図示は省略するが、袋体１０の開口部１６の周囲に着色を施したり、袋体１０の底部に表裏の表示を施すことで、作業者は、袋体１０の状態を把握しながら、簡単且つ正確にトラック１の荷台３に袋体１０を敷設することができる。
【００２５】
廃棄物Ａが充填された袋体１０を搭載したトラック１は、廃棄物処理場等に移動して、荷台３を本体２に対して後方下がりに傾斜させる放出操作（図７参照）を実行し、袋体１０から廃棄物Ａを後方に排出する。
【００２６】
本実施形態の廃棄物の運搬方法で利用する袋体１０は、図１及び図２に示すように、平面視においてトラック１の荷台３（図３参照）の略全体に亘る大きさである略直方体の形状を有する。袋体１０の材質は、ポリエチレン等の合成樹脂製とされ、厚みは一定以上の張力を付加すると破れる程度の例えば０．０５ｍｍ〜０．２０ｍｍとされている。
【００２７】
袋体１０の底部よりも若干上方の部分には、紐状体１１が接着により貼り付けられている。紐状体１１としては、袋体１０の前面の左右両側に貼り付けられた一対の固定用紐状体１１ａと、袋体１０の後面の左右両側に貼り付けられた一対の放出用紐状体１１ｂとが設けられている。尚、本実施形態において、袋体１０は、前後対称の構造を有することで、前後の区別が無いものとされている。即ち、固定用紐状体１１ａと放出用紐状体１１ｂとは、同じワイヤー等が用いられており、同じ状態で袋体１０に貼り付けられている。そして、図３に示すように、この袋体１０をトラック１の荷台３に敷設した状態では、前面側の紐状体１１を固定用紐状体１１ａと呼び、後面側の紐状体１１を放出用紐状体１１ｂと呼ぶ。
【００２８】
袋体１０の後面及び前面の夫々において、一対の紐状体１１は、略中央から左右外方に夫々延びる状態で貼り付けられている。尚、本実施形態では、これら一対の紐状体１１の間に隙間を設けているが、当該隙間を開けずに一対の紐状体１１を略中央部で接する状態で配置しても構わない。そして、図８〜図１０にも示すように、袋体１０の後面に貼り付けられた一対の放出用紐状体１１ｂの間の部分が、トラック１の荷台３を本体２に対して後方下がりに傾斜させる放出操作時において開放されて内部から廃棄物Ａが放出される放出部１５となる。
尚、図示は省略するが、袋体１０の放出部１５に着色を施すことで、作業者は、袋体１０の前後を把握して、袋体１０を正確にトラック１の荷台３に敷設することができ、更には、放出操作時において廃棄物Ａが放出される放出部１５の位置を正確に把握することができる。
【００２９】
トラック１の荷台３に敷設された袋体１０の後面に貼り付けられた放出用紐状体１１ｂは、トラック１の荷台３の後方側のフック４ｂに連結されており、トラック１の荷台３を本体２に対して後方下がりに傾斜させる放出操作時（図７参照）において、引張力が付与されるものとして構成されている。そして、袋体１０の後面に設けられた放出部１５は、この放出用紐状体１１ｂへの引張力の付与時に開放するものとして構成されている。
【００３０】
即ち、図８に示すように、放出操作時にトラック１の荷台３が後方下がりに傾斜すると、その荷台３に載置された袋体１０に充填されている廃棄物Ａが自重により後方に移動しようとし、トラック１の荷台３と袋体１０とを接続する紐状体１１には、自動的に引張力が生じることになる。
すると、袋体１０の後面側の放出部１５の左右両側に貼り付けられた一対の放出用紐状体１１ｂには、左右に引き離す状態で引張力が付与されることになり、この引張力により放出部１５が破断して開放される。そして、その開放された放出部１５から廃棄物Ａが後方に放出されることになる。
【００３１】
袋体１０の後面側の放出部１５には、図９に示すように、袋体１０が破断し易いようにするためのミシン目２０を設けることで、それを放出用紐状体１１ｂへの引張力の付与時における当該放出部１５の破断を補助する破断補助部として機能させることができる。また、このようなミシン目２０の代わりに、図１０に示すように、一対の放出用紐状体１１ｂの端部にプレート２１を貼り付けておくことで、放出用紐状体１１ｂへ付与された引張力によりプレート２１の姿勢が変化して、プレート２１の角部等で袋体１０を押し破るように構成しても構わない。また、このプレート２１の代わりに、袋体１０の放出部１５の両脇に接着剤などの硬化させた部分を設けても構わない。
尚、本実施形態では、このようなミシン目２０やプレート２１等の破断補助部を設けたが、このような破断補助部については適宜省略又は改変しても構わない。
【００３２】
トラック１の荷台３に敷設された袋体１０の前面に貼り付けられた固定用紐状体１１ａは、トラック１の荷台３の前方側のフック４ａに連結されている。このことで、トラック１の荷台３を本体２に対して傾斜させる放出操作時において、荷台３に載置された袋体１０自体が自重により後方にずれることが防止されている。また、この固定用紐状体１１ａに加えて又はその代わりに、袋体１０のずれの防止のための構成を採用しても構わない。例えば、袋体１０の底面の例えば四隅に磁石を固定しておき、その磁石が荷台３に吸着することで、袋体１０のずれを防止することができる。
【００３３】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態において、袋体１０に対する紐状体１１の貼付構成については、例えば図１１〜図１６に示すような形態を採用しても構わない。
以下に、図１１及び図１２に示す形態、図１３及び図１４に示す形態、図１５及び図１６に示す形態、及び、図１７及び図１８に示す形態について、順に説明を加える。
【００３４】
図１１及び図１２に示す形態では、各紐状体１１の連結部１１ｃとは反対側の端部を二又に構成し、その二又となる部分を袋体１０の各角部を構成する２面の夫々に貼り付けている。
【００３５】
図１３及び図１４に示す形態では、袋体１０の前面側及び後面側の夫々において、一対の紐状体１１は、袋体１０の左右両側の最外部に端部が位置し、その位置から内方の略中央部付近まで延びる状態で袋体１０に貼り付けられている。その中央部付近から袋体１０に貼り付けられていない部分が延び、その先端部に連結部１１ｃが設けられている。
そして、このような構成では、袋体１０の後面側の放出用紐状体１１ｂに引張力が付加された際に、その引張力が略直接的に放出部１５に伝達されることになり、放出部１５の開放が容易となる。
【００３６】
図１５及び図１６に示す形態では、図１３及び図１５に示す形態に対して、袋体１０に貼り付けられた紐状体１１の端部が、袋体１０の各角部を越えて側方にまで延出している。このことで、袋体１０に対して紐状体１１を強固に貼り付けることができ、袋体１０から紐状体１１が剥ぎ取られることを抑制できる。
【００３７】
図１７及び図１８に示す形態では、袋体１０の後面及び前面の夫々に、中央付近に配置された１つの穴Ｈ１と、その穴Ｈ１の左右外方夫々の端付近に配置された２つの穴Ｈ２とが形成されている。そして、袋体１０の前面側及び後面側の夫々において、一対の輪状の紐状体１１の夫々が、中央付近の穴Ｈ１と端付近の穴Ｈ２とを挿通する状態で取り付けられている。尚、これら穴Ｈ１，Ｈ２は、紐状体１１を挿通した後にシール材Ｓなどで封鎖される。そして、一対の輪状の紐状体１１において、穴Ｈ１を挿通する部分とは反対側の端部分が、連結部１１ｃとして荷台３のフック４ａ，４ｂ（図４参照）に連結される。
そして、このような構成では、袋体１０の後面側の放出用紐状体１１ｂに引張力が付加された際に、その引張力が放出部１５に形成された穴Ｈ１を左右に拡張させて引き破るように作用して、放出部１５が開放されることになる。
【００３８】
（２）上記実施形態では、袋体１０の後面側に貼り付けられた放出用紐状体１１ｂの連結部１１ｃを、トラック１の荷台３に連結することにより、トラック１の荷台３を後方下がりに傾斜させる放出操作時において、袋体１０の充填物（廃棄物Ａ）の自重により自動的に放出用紐状体１１ｂに引張力が付与される構成を採用したが、例えば、放出用紐状体１１ｂをトラック１の本体２に連結して、荷台３が傾斜して本体２から離間した際に放出用紐状体１１ｂに引張力が生じるように構成したり、他の方法で放出用紐状体１１ｂを引っ張って引張力を付与する構成を採用しても構わない。
【符号の説明】
【００３９】
１      トラック
２      本体
３      荷台
１０    袋体
１１    紐状体
１１ａ  固定用紐状体
１１ｂ  放出用紐状体
１５    放出部
１７    紐
２０    ミシン目（破断補助部）
２１    プレート（破断補助部）
Ａ      廃棄物
【図１】
2019156411.tif 000003
【図２】
2019156411.tif 000004
【図３】
2019156411.tif 000005
【図４】
2019156411.tif 000006
【図５】
2019156411.tif 000007
【図６】
2019156411.tif 000008
【図７】
2019156411.tif 000009
【図８】
2019156411.tif 000010
【図９】
2019156411.tif 000011
【図１０】
2019156411.tif 000012
【図１１】
2019156411.tif 000013
【図１２】
2019156411.tif 000014
【図１３】
2019156411.tif 000015
【図１４】
2019156411.tif 000016
【図１５】
2019156411.tif 000017
【図１６】
2019156411.tif 000018
【図１７】
2019156411.tif 000019
【図１８】
2019156411.tif 000020